(57)【要約】【課題】簡易で低価格な自動改札システムを導入すること。【解決手段】本実施の形態では、例えば、電子マネーカードなどの用途に市中で大量に流通している汎用の非接触型ＩＣカードをそのまま定期券として使用できるようにする。通行券情報サーバにＩＤｍ、区間、利用期間を登録する。通行券情報サーバは、区間間の駅に設置されたゲート装置に対してＩＤｍを配信する。ゲート装置は、配信されたＩＤｍを記憶して保持し、ユーザが提出した非接触型ＩＣカードのＩＤｍと照合する。ＩＤｍが一致する場合は扉を開いてユーザの通行を許可し、一致するものが無い場合は、扉を閉じてユーザの通行を制限する。利用期間が経過すると、通行券情報サーバは、ゲート装置に対して当該ＩＤｍの取消を命令し、これによってゲート装置から利用期間を経過した非接触ＩＤカードのＩＤｍが消去される。【選択図】図１
2007141017.tif 000002
【特許請求の範囲】
【請求項１】
通行券情報処理装置と、通信回線を介して前記通行券情報処理装置と接続可能な複数のゲート装置と、から構成され、固有情報を記憶した通行券媒体を用いた通行の制御を行う通行制御システムであって、
前記通行券情報処理装置は、前記ゲート装置ごとに、当該ゲート装置で通行可能な通行券媒体の固有情報を配信し、
前記ゲート装置は、通行者が提出した通行券媒体から固有情報を読み取り、前記読み取った固有情報と前記配信された固有情報が一致する場合に前記通行者の通行を許可する通行許可動作を行い、一致しない場合に前記通行者の通行を許可しない通行非許可動作を行うことを特徴とする通行制御システム。
【請求項２】
通行券媒体に記憶されている固有情報と、前記通行券媒体による通行者の通過を許可するゲート装置を特定するゲート特定情報の入力を受け付ける入力受付手段と、
前記入力を受け付けた固有情報とゲート特定情報を対応付けて記憶装置に記憶する記憶手段と、
ゲート装置に対して、当該ゲート装置のゲート特定情報に前記記憶装置で対応付けられている固有情報の登録を要求する登録要求手段と、
を具備したことを特徴とする通行券情報処理装置。
【請求項３】
ゲート装置で登録されている固有情報と、当該ゲート装置のゲート特定情報に前記記憶装置で対応付けられている固有情報が一致するように、前記ゲート装置で登録されている固有情報の更新を要求する更新要求手段を具備したことを特徴とする請求項２に記載の通行券情報処理装置。
【請求項４】
通行券媒体に記憶されている固有情報と、精算金額の算出基準となる精算基準情報と、を精算端末から受信する精算情報受信手段と、
前記受信した精算基準情報と、前記受信した固有情報に前記記憶装置で対応付けられているゲート特定情報と、を用いて精算金額を算出する精算金額算出手段と、
前記算出した精算金額を前記精算端末に送信する精算金額送信手段と、
を具備したことを特徴とする請求項２、又は請求項３に記載の通行券情報処理装置。
【請求項５】
通行券情報処理装置から、通行を許可する通行券媒体の固有情報の登録要求を受け付ける登録要求受付手段と、
前記受け付けた登録要求に係る固有情報を登録する固有情報登録手段と、
通行者が提出する通行券媒体から固有情報を読み取る固有情報読取手段と、
前記読み取った固有情報が前記登録した固有情報と一致する場合に前記通行者の通行を許可する通行許可動作を行い、一致しない場合に前記通行者の通行を許可しない通行非許可動作を行う動作手段と、
を具備したことを特徴とするゲート装置。
【請求項６】
通行券情報処理装置から、固有情報の更新要求を受け付ける更新要求受付手段と、
前記受け付けた更新要求に応じて、前記登録した固有情報を更新する更新手段と、
を具備したことを特徴とする請求項５に記載のゲート装置。
【請求項７】
通行者が提出する通行券媒体から固有情報を読み取る固有情報読取手段と、
精算金額の算出基準となる精算基準情報と、前記読み取った固有情報と、を通行券情報処理装置に送信する精算情報送信手段と、
前記送信した固有情報と精算基準情報に対する精算金額を前記通行券情報処理装置から受信する精算金額受信手段と、
通行者が提供した貨幣価値を用いて前記受信した精算金額分の精算処理を行う精算手段と、
を具備したことを特徴とする精算端末。
【発明の詳細な説明】
【技術分野】
【０００１】
本実施の形態は、通行制御システム、通行券情報処理装置、ゲート装置、及び精算端末に関し、例えば、通行券の固有情報を読み取って扉を開閉するものに関する。
【背景技術】
【０００２】
近年、自動改札装置が普及してきた。自動改札装置は、例えば、ＩＣカードや磁気媒体などに記憶された乗車区間や有効期間などを読み取り、乗客の入退場を許可するか否かを判断する。
自動改札装置は、乗客が通過する通路と、その通路上で開閉する扉を備えている。そして、自動改札装置は、乗客の入退場を認める場合は扉を開いて乗客を通過させ、乗客の入退場を認めない場合は、扉を閉じて乗客の通過を制限する。
自動改札装置には、主に、非接触型ＩＣカードを乗車・定期券とするものと、磁気媒体を乗車・定期券とするものが用いられている。
このような自動改札装置に関する技術として次の自動改札装置がある。
【０００３】
【特許文献１】特開平１０−０９１８２３号
【０００４】
この技術は、非接触型ＩＣカードに定期券とプリペイドカードの機能を持たせて、切符や定期券を搬送する機構を不要とするものである。精算の必要などがある場合、プリペイド機能を用いて自動精算することができる。
また、近年の自動改札システムは、このような自動精算機能のほか、指定席の予約機能や家族分のチケットを１枚のＩＣカードで対応できる高度な付加機能を備えており、ＩＣカード側もこれらの高機能に対応したものとなっている。
【発明の開示】
【発明が解決しようとする課題】
【０００５】
自動改札システムは非常に高価であり、これに使用する高機能なＩＣカードも高価である。そのため、中小の事業体が自動改札システムを導入する場合、多額の設備投資を行わなければならない。また、ＩＣカードも高価であるので、利用者にとっても負担となり、場合によっては、事業体がＩＣカードの費用の一部を負担する必要も生じてくる。
更に、このように多額の投資を行って導入した自動改札システムには、中小の事業体では必要のない高度な機能が多数搭載されており、使用しない機能は無駄な投資となってしまう。
【０００６】
そこで、本発明の目的は、簡易で低価格な自動改札システムを導入することである。
【課題を解決するための手段】
【０００７】
本発明は、前記目的を達成するために、請求項１に記載の発明では、通行券情報処理装置と、通信回線を介して前記通行券情報処理装置と接続可能な複数のゲート装置と、から構成され、固有情報を記憶した通行券媒体を用いた通行の制御を行う通行制御システムであって、前記通行券情報処理装置は、前記ゲート装置ごとに、当該ゲート装置で通行可能な通行券媒体の固有情報を配信し、前記ゲート装置は、通行者が提出した通行券媒体から固有情報を読み取り、前記読み取った固有情報と前記配信された固有情報が一致する場合に前記通行者の通行を許可する通行許可動作を行い、一致しない場合に前記通行者の通行を許可しない通行非許可動作を行うことを特徴とする通行制御システムを提供する。
請求項２に記載の発明では、通行券媒体に記憶されている固有情報と、前記通行券媒体による通行者の通過を許可するゲート装置を特定するゲート特定情報の入力を受け付ける入力受付手段と、前記入力を受け付けた固有情報とゲート特定情報を対応付けて記憶装置に記憶する記憶手段と、ゲート装置に対して、当該ゲート装置のゲート特定情報に前記記憶装置で対応付けられている固有情報の登録を要求する登録要求手段と、を具備したことを特徴とする通行券情報処理装置を提供する。
請求項３に記載の発明では、ゲート装置で登録されている固有情報と、当該ゲート装置のゲート特定情報に前記記憶装置で対応付けられている固有情報が一致するように、前記ゲート装置で登録されている固有情報の更新を要求する更新要求手段を具備したことを特徴とする請求項２に記載の通行券情報処理装置を提供する。
請求項４に記載の発明では、通行券媒体に記憶されている固有情報と、精算金額の算出基準となる精算基準情報と、を精算端末から受信する精算情報受信手段と、前記受信した精算基準情報と、前記受信した固有情報に前記記憶装置で対応付けられているゲート特定情報と、を用いて精算金額を算出する精算金額算出手段と、前記算出した精算金額を前記精算端末に送信する精算金額送信手段と、を具備したことを特徴とする請求項２、又は請求項３に記載の通行券情報処理装置を提供する。
請求項５に記載の発明では、通行券情報処理装置から、通行を許可する通行券媒体の固有情報の登録要求を受け付ける登録要求受付手段と、前記受け付けた登録要求に係る固有情報を登録する固有情報登録手段と、通行者が提出する通行券媒体から固有情報を読み取る固有情報読取手段と、前記読み取った固有情報が前記登録した固有情報と一致する場合に前記通行者の通行を許可する通行許可動作を行い、一致しない場合に前記通行者の通行を許可しない通行非許可動作を行う動作手段と、を具備したことを特徴とするゲート装置を提供する。
請求項６に記載の発明では、通行券情報処理装置から、固有情報の更新要求を受け付ける更新要求受付手段と、前記受け付けた更新要求に応じて、前記登録した固有情報を更新する更新手段と、を具備したことを特徴とする請求項５に記載のゲート装置を提供する。
請求項７に記載の発明では、通行者が提出する通行券媒体から固有情報を読み取る固有情報読取手段と、精算金額の算出基準となる精算基準情報と、前記読み取った固有情報と、を通行券情報処理装置に送信する精算情報送信手段と、前記送信した固有情報と精算基準情報に対する精算金額を前記通行券情報処理装置から受信する精算金額受信手段と、通行者が提供した貨幣価値を用いて前記受信した精算金額分の精算処理を行う精算手段と、を具備したことを特徴とする精算端末を提供する。
【発明の効果】
【０００８】
本発明によれば、低コストで自動改札システムの導入と管理を行うことができる。
【発明を実施するための最良の形態】
【０００９】
（１）実施の形態の概要
本実施の形態では、例えば、電子マネーカードなどの用途で市中で大量に流通している汎用の非接触型ＩＣカードをそのまま定期券として使用できるようにする。
このため、汎用の非接触型ＩＣカードを既に所有しているユーザは定期用にＩＣカードを新規に購入する必要がない。また、汎用の非接触型ＩＣカードは安価で大量に出回っているため、まだ所有していないユーザも容易に入手することができる。
一方、事業体が用いるゲート装置（自動改札装置）も簡易な構造とし、既に磁気媒体用の自動改札を備えている場合には、これに非接触型ＩＣカード用のリーダライタなどを追加することにより対応することができる。
【００１０】
このような、非接触型ＩＣカードの定期券への利用は、個々の非接触型ＩＣカードに付与されているＩＤｍと呼ばれる固有の製造番号を、区間、利用期間などと共に通行券情報サーバに登録することにより実現することができる。
通行券情報サーバは、これらの情報の登録を受け付けると、利用区間内の駅（区間両端の駅を含む）に設置されたゲート装置に対してＩＤｍを配信する。ゲート装置は、配信されたＩＤｍを記憶して保持し、ユーザが提出した非接触型ＩＣカードのＩＤｍと照合する。
【００１１】
ＩＤｍが一致する場合は扉を開いてユーザの通行を許可し、一致するものがない場合は、扉を閉じてユーザの通行を制限する。
利用期間が経過すると、通行券情報サーバは、ゲート装置に対して当該ＩＤｍの取消を命令し、これによってゲート装置から利用期間を経過した非接触ＩＤカードのＩＤｍが消去される。
【００１２】
（２）実施の形態の詳細
図１は、本実施の形態の一例に係る通行制御システムの構成を示したブロック図である。
本実施の形態では、通行制御システム１を鉄道事業の自動改札システムとして利用する場合について説明する。
通行制御システム１は、登録端末２、通行券情報サーバ３、ゲート４、４、・・・（以下、単にゲート４と記す）などから構成されている。
登録端末２は、１台のみ図示してあるが、複数台あってもよい。また、図示しないが、各駅には運賃を精算する精算端末が駅構内に備えられている。
利用者は、非接触型ＩＣカードを通行券情報サーバ３に定期券として登録し、この非接触型ＩＣカードを用いてゲート４を通過する。非接触型ＩＣカードは通行券情報サーバ３に登録することにより通行券媒体となる。
【００１３】
登録端末２は、例えば、主要駅の定期券窓口などに設置されており、ユーザの非接触型ＩＣカードを定期券として登録するための端末である。
登録端末２には、ユーザと対面しながら駅の担当者が操作する手動式のものと、ユーザが指示に従って必要な情報を入力する自動式のものがある。まず、手動式の場合について説明する。
登録端末２は、キーボード、マウスなどの入力装置、ディスプレイやプリンタなどの出力装置を備えるほか、非接触型ＩＣカードと近距離の無線通信を行うリーダライタや、リーダライタを介して非接触型ＩＣカードに対してデータやコマンドの送受信を行うＩＣカード通信モジュールを備えている。
【００１４】
担当者は、ユーザから非接触型ＩＣカードを受け取ってこれをリーダライタに設置すると共に、ユーザから申請された利用区間と利用期間を入力装置から入力する。
登録端末２は、リーダライタを介して非接触型ＩＣカードと通信し、非接触型ＩＣカードからＩＤｍを読み出す。ここで、ＩＤｍは非接触型ＩＣカードに固有な固有情報を構成しており、これについては後ほど詳細に説明する。
そして、登録端末２は、読み出したＩＤｍと、担当者が入力した利用区間、利用期間を一時記憶装置に記憶する。
登録端末２は、例えば、インターネットなどのネットワークを介して通行券情報サーバ３と通信が可能となっており、一時記憶装置に記憶したＩＤｍ、利用区間、利用期間を通行券情報サーバ３に送信する。
【００１５】
一方、自動式の場合、登録端末２は、外面に非接触型ＩＣカードの挿入口、情報の表示と入力が行えるタッチパネル、現金の投入口、釣り銭口などを備えている。
また、内部には、非接触型ＩＣカードとの通信を行うリーダライタとＩＣカード通信モジュールを備えるほか、電子マネー決済機能、現金処理機能、通行券情報サーバ３との通信機能などを備えている。
【００１６】
まず、ユーザは、「非接触型ＩＣカードを挿入してください。」などのタッチパネルの指示に従って、非接触型ＩＣカードを挿入口から挿入する。続いてユーザは、「利用区間と利用金を入力してください。」などの指示に従って、利用区間と利用期間を入力する。すると、登録端末２は、「電子マネーで決済しますか？現金で決済しますか？」などと、ユーザに問い合わせ、ユーザは電子マネーによる決済か現金による決済を選択する。
【００１７】
登録端末２は、これらの処理と並行して、リーダライタとＩＣカード通信モジュールによって非接触型ＩＣカードのＩＤｍを読み取る。そして、登録端末２は、読み取ったＩＤｍのほか、ユーザから入力された利用区間と利用期間を一時記憶装置に記憶する。
【００１８】
次に、登録端末２は、一時記憶したＩＤｍ、利用区間、利用期間を通行券情報サーバ３に送信し、更に、現金又は電子マネーのうち、ユーザが選択した貨幣価値による決済を行う。
非接触型ＩＣカードは、電子マネー処理機能を備えており、ユーザが電子マネーにより決済を選択した場合、登録端末２は、電子マネー決済機能により非接触型ＩＣカードに記憶されている電子マネーを代金分だけ減額して決済を行う。
【００１９】
なお、ここで減額する電子マネーはバリューと呼ばれており、電子マネーによる商取引では、バリューと呼ばれるこの貨幣価値を非接触型ＩＣカードなどに記憶しておき、バリューの値を加減算することにより行われている。
ユーザが現金による決済を選択した場合、登録端末２は、ユーザから投入された現金を確認して現金処理機能により決済を行う。
【００２０】
通行券情報サーバ３は、登録端末２からＩＤｍ、利用区間、利用期間を受信することによってこれらの情報の入力を受け付け（入力受付手段）、これらの情報を後述の定期券データベースに記憶する（記憶手段）。
ここで、利用区間は、非接触型ＩＣカードで通行するゲートを特定するゲート特定情報を構成している。
詳細は後述するが、利用区間により非接触型ＩＣカードを使用する駅が特定され、更に駅が特定されるとこの駅に設置されているゲート４が特定されるためである。
通行券情報サーバ３はこのようにして非接触型ＩＣカードを定期券として登録し、以降、非接触型ＩＣカードは非接触型ＩＣカードとして使用することができる。
【００２１】
通行券情報サーバ３は、定期券データベースに登録したＩＤｍのうち利用期間が開始するものを、当該ＩＤｍによる利用区間にある各駅のゲート４に配信し、当該ＩＤｍの登録を要求する（登録要求手段）。登録の要求は、当該ＩＤｍの登録を行う登録命令（コマンド）を送信することにより行われる。
また、利用期間が切れるものに関しては、当該ＩＤｍを登録しているゲート４に対してこのＩＤｍを無効にするように取消要求を行うと共に、定期券データベースから当該ＩＤｍを消去する。
通行券情報サーバ３は、以上の処理を、例えば、終電終了後などに１日１回程度バッチ処理にて行う。取消要求は取消命令を送信することにより行われる。
このように、通行券情報サーバ３は、定期的にゲート４にＩＤｍの更新を要求する（更新要求手段）。
【００２２】
ゲート４は、各駅（Ａ駅、Ｂ駅、・・・、Ｆ駅）の改札口に設置されたゲート装置であって、ユーザが通行する通路、ユーザが非接触型ＩＣカードをかざすリーダライタ、リーダライタを介して非接触型ＩＣカードと通信するＩＣカード通信モジュール、通路を開閉する扉などが設けられている。
ゲート４は、インターネットや専用回線などのネットワークを介して通行券情報サーバ３と接続可能に配設されており、通行券情報サーバ３と通信を行うことができる。
【００２３】
ゲート４は、非接触型ＩＣカードのＩＤｍなどを記憶するＩＤｍデータベースを備えており、通行券情報サーバ３から登録命令を受信することにより当該ＩＤｍの登録要求を受け付けると（登録要求受付手段）、当該登録命令を実行して当該命令に係るＩＤｍをＩＤｍデータベースに登録する（固有情報登録手段）。
また、ゲート４は、通行券情報サーバ３からＩＤｍの取消命令を受信すると、当該取消命令を実行して当該命令に係るＩＤｍをＩＤｍデータベースから消去する。
このように、ゲート４は、通行券情報サーバ３からＩＤｍの登録要求と取消要求を受け付ける（更新要求受付手段）ことにより、ＩＤｍデータベースに登録してあるＩＤｍを更新することができる（更新手段）。
【００２４】
ゲート４は、ユーザが非接触型ＩＣカードをリーダライタにかざすと、この非接触型ＩＣカードからＩＤｍを読み取り（固有情報読取手段）、ＩＤｍデータベースに記憶してあるＩＤｍと照合する。
照合の結果、非接触型ＩＣカードのＩＤｍが登録されていた場合は扉を開き、登録されていなかった場合は扉を閉じる（動作手段）。
ゲート４の動作手段は、扉の開閉を行うが、例えば、警告灯を点灯したり、警告音を発したり、あるいは、係員の端末でアラームを発するなど他の動作を行うこともできる。
【００２５】
精算端末は各駅の改札口構内側に１台程度備えられており、ネットワークを介して通行券情報サーバ３と通信できるようになっている。
ユーザが、利用区間以外の駅で下車しようとすると、ゲート４によって退場が制限されるが、この場合、ユーザは、非接触型ＩＣカードと精算端末を通信させて精算処理を行う。
【００２６】
精算端末には、非接触型ＩＣカードのリーダライタ、非接触型ＩＣカードの挿入口、現金の投入口、釣り銭口、情報の表示とユーザからの入力を受け付けるタッチパネルなどを備えている。また、精算端末は、精算を非接触型ＩＣカードに記憶した電子マネーで行うための電子マネー処理モジュールも備えている。電子マネー処理モジュールはリーダライタを介して非接触型ＩＣカードと通信することができる。
ユーザが非接触型ＩＣカードの挿入口に非接触型ＩＣカードを挿入すると、精算端末は、リーダライタを介してＩＤｍを読み取って（固有情報読取手段）、当該精算端末が設置されている駅を特定できる駅特定情報と共に通行券情報サーバ３に送信する。
【００２７】
ここで、駅特定情報は、例えば、駅ＩＤ、精算端末ＩＤ（通行券情報サーバ３は、精算端末と、当該精算端末を設置した駅を対応付けたデータベースを有しているため、精算端末ＩＤが特定できると設置駅を特定することができる）などであり、精算金額を計算する際の基準となる精算基準情報を構成しており、精算端末は、固有情報と精算基準情報を送信する精算情報送信手段を備えている。
【００２８】
通行券情報サーバ３は、精算端末からＩＤｍと駅特定情報を受信し（精算情報受信手段）、これを用いてユーザの利用区間とユーザが下車しようとしている駅を特定することができる。通行券情報サーバ３は、これによって精算金額を算出し（精算金額算出手段）、精算装置に送信する（精算金額送信手段）。
【００２９】
精算端末は、通行券情報サーバ３から送信されてきた精算金額を表示し、ユーザに現金で精算するか、あるいは電子マネーで精算するかの選択を行わせる。
ユーザが現金での精算を選択した場合、現金投入口からの現金の投入を受け付け、投入された現金によって精算処理を行う（精算手段）。
ユーザが電子マネーでの精算を選択した場合、電子マネー処理モジュールが非接触型ＩＣカードに精算金額分のバリューを減算する減算情報を入力し、バリューの減算を非接触型ＩＣカードに行わせる（精算手段）。
【００３０】
以上に説明したように、本実施の形態の通行制御システム１は、各ゲート装置（ゲート４）に通行可能な非接触型ＩＣカードのＩＤｍを予め記憶させておくことにより、乗客の入退場を制御することができる。
なお、このように通行可能なＩＤｍをゲート４で記憶しておきこれを照合する方式をポジチェックといい、逆に通行を不可とするＩＤｍをゲート４で記憶しておきこれを照合する方式をネガチェックという。本実施の形態は、ポジチェックを採用するが、ネガチェックにより同様の機能を実現することもできる。
以下、通行制御システム１を構成する各構成要素について詳細に説明する。
【００３１】
図２は、本実施の形態で定期券（通行券）を構成する非接触型ＩＣカードのハードウェア的な構成の一例を示したブロック図である。この非接触型ＩＣカードは、通行券媒体を構成している。
本実施の形態で使用する非接触型ＩＣカードは、ＣＰＵ（Ｃｅｎｔｒａｌ  Ｐｒｏｃｅｓｓｉｎｇ  Ｕｎｉｔ）２１、高周波回路２２、アンテナ２６、ＲＯＭ（Ｒｅａｄ  Ｏｎｌｙ  Ｍｅｍｏｒｙ）２３、ＲＡＭ（Ｒａｎｄｏｍ  Ａｃｃｅｓｓ  Ｍｅｍｏｒｙ）２４、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）２５などを内蔵している。
【００３２】
これらの素子は、非接触型ＩＣカード内に埋め込まれたＩＣチップ上に形成されている。ただし、アンテナ２６は、非接触型ＩＣカード内部の外縁部付近に張り巡らされた空中線により構成され、端部がＩＣチップに接続されている。
【００３３】
ＣＰＵ２１は、ＲＯＭ２３やＥＥＰＲＯＭ２５に記憶されているプログラムに従って情報処理を行う中央処理装置である。
本実施の形態では、ＣＰＵ２１は、リーダライタを介して登録端末２や各ゲート４と通信を行い、通行券情報サーバ３やゲート４にＩＤｍを送信する。
また、ＥＥＰＲＯＭ２５に電子マネー処理プログラムがインストールされている場合、ＣＰＵ２１は、非接触型ＩＣカードに記憶されたバリューによって乗り越しなどの精算処理を行うことも可能である。
【００３４】
アンテナ２６は、リーダライタに内蔵されたアンテナと近距離の無線通信を行うためのアンテナである。
非接触型ＩＣカードは、アンテナ２６を介してリーダライタから無線により発電して駆動電力を得ると共に無線通信を行う。
【００３５】
高周波回路２２は、リーダライタからアンテナ２６に送信されてきた高周波をデジタル信号に変換してＣＰＵ２１に出力したり、逆にＣＰＵ２１が出力したデジタル信号を高周波に変換してアンテナ２６に出力し、リーダライタに送信する。
【００３６】
ＲＡＭ２４は、ＣＰＵ２１が情報処理を行う際のワーキングメモリを提供する随時書き込み読み出しメモリである。
ＲＡＭ２４は、非接触型ＩＣカードに電力が供給されている間、記憶内容を保持することができるが、電力の供給が止まると記憶内容は失われる。
【００３７】
ＲＯＭ２３は、非接触型ＩＣカードを機能させるための基本的なプログラムやパラメータ、データなどを記憶した読み出し専用メモリである。
これらの情報は、予めＲＯＭ２３に固定されており、再度の情報の書き込みや情報の消去を行うことは通常行わない。
【００３８】
ＥＥＰＲＯＭ２５は、情報を書き込んだり消去したりが可能なＲＯＭである。ＥＥＰＲＯＭ２５に記憶してある情報は、非接触型ＩＣカードへの電力の供給がない場合でも保たれる。
このように、ＲＯＭ２３とＥＥＰＲＯＭ２５は、非接触型ＩＣカードのプログラム・データ記憶領域を構成している。
ＥＥＰＲＯＭ２５には、例えば、非接触型ＩＣカードを機能させるための基本的なプログラムであるＯＳ（Ｏｐｅｒａｔｉｎｇ  Ｓｙｓｔｅｍ）や、アプリケーションプログラムなどが記憶されている。
更に、ＥＥＰＲＯＭ２５には、非接触型ＩＣカードごとに異なる固有の情報、即ち固有情報であるＩＤｍが記憶されている。
【００３９】
図３の各図は、ＥＥＰＲＯＭ２５の構成を模式的に示した図である。
非接触型ＩＣカードには、図３（ａ）に示したように、ＥＥＰＲＯＭ２５にパブリック領域とプライベート領域がそれぞれ１つずつ形成されたものと（第１のタイプ）、図３（ｂ）に示したように、プライベート領域が２つ形成されたもの（第２のタイプ）がある。
このように、ＥＥＰＲＯＭ２５を複数の領域に区分して使用するのは、１枚の非接触型ＩＣカードを複数のアプリケーションで使用できるようにするためである。即ち、１枚の非接触型ＩＣカードをあたかも複数の非接触型ＩＣカードのように使用することができ、非接触型ＩＣカードの汎用性が向上すると共に、利用者にとっても使い勝手のよいものとなる。
【００４０】
パブリック領域は、アプリケーションを組み込むエリアが複数あり、複数のアプリケーションを組み込むことができるようになっている。一方、プライベート領域は、アプリケーションを組み込むエリアが単数（１つ）あり、単数のアプリケーションを組み込むことができるようになっている。
どのようなアプリケーションを何れの領域に組み込むかは、非接触型ＩＣカードを利用する事業体の自由であるが、主にプライベート領域は非接触型ＩＣカードの発行体が自社のサービス提供のために用い、パブリック領域には付加的なサービスを提供するためのアプリケーションが組み込まれる。
【００４１】
例えば、非接触型ＩＣカードの発行主体がフェリーの運航会社である場合、プライベート領域にはポイントサービスや座席の指定予約機能など、自社で使用するアプリケーションを組み込み、パブリック領域には汎用の電子マネー機能を発揮する電子マネープログラムを組み込むなどする。
このようにすることにより、ユーザは、非接触型ＩＣカードをフェリーの運航会社のサービスを受けるためのカードとして用いることもできるし、電子マネーカードとして用いることもできる。
【００４２】
パブリック領域、プライベート領域には、それぞれ当該領域に固有の情報であるＩＤｍが付与されている。これらＩＤｍは、非接触型ＩＣカードの製造事業者が個々の領域に付与する値であり、同じものは存在しない。
例えば、図３（ａ）の例では、パブリック領域のＩＤｍ（以下、パブリックＩＤｍ）が「５２４７６５８７９」となっており、プライベート領域のＩＤｍ（以下、プライベートＩＤｍ）は「９８７２５４８６７」となっている。図３（ｂ）の例でも、一方のプライベート領域と他方のプライベート領域にそれぞれ固有の値が付与されている。
【００４３】
これらの領域には、それぞれのＩＤｍをポーリングして読み出すためのシステムコードが設定されている。
図３（ａ）の例では、パブリック領域にシステムコード「ＡＡ００」が設定されており、プライベート領域にシステムコード「ＢＢ００」が設定されている。
【００４４】
このため、非接触型ＩＣカードにシステムコード「ＡＡ００」を入力すると、非接触型ＩＣカードは、パブリックＩＤｍを出力し、システムコード「ＢＢ００」を入力すると、非接触型ＩＣカードは、プライベートＩＤｍを出力する。
なお、パブリック領域のシステムコードは各非接触型ＩＣカードに共通であるが、プライベート領域は、例えば、非接触型ＩＣカードの発行体ごとに設定されるなど各種ある。
【００４５】
このように、パブリック領域用のシステムコードが各非接触型ＩＣカードに共通であるため、パブリック領域を有する非接触型ＩＣカードに関しては、パブリック領域用のシステムコード「ＢＢ００」を用意しておけば、対応することができる。
一方、プライベート領域のみ有する非接触型ＩＣカードに関しては、プライベート領域用のシステムコードが発行体などによって異なるため、非接触型ＩＣカードに対応したプライベート領域用のシステムコードを用意する必要がある。
【００４６】
そこで、本実施の形態では、パブリック領域用のシステムコード「ＡＡ００」と、ある特定のプライベート領域用のシステムコード「ＢＢ００」を用いてダブルポーリングすることとした。
即ち、登録端末２、ゲート４、精算端末は、非接触型ＩＣカードに、システムコード「ＡＡ００」と「ＢＢ００」を入力し、これによってパブリック領域やプライベート領域のＩＤｍを読み取るのである。
非接触型ＩＣカードが、システムコード「ＡＡ００」と「ＢＢ００」の少なくとも一方に対応したものであれば、ＩＤｍを読み取ることができる。
【００４７】
これによって、通行制御システム１は、第１のタイプ（パブリック領域を有する）の非接触型ＩＣカードと、第２のタイプ（プライベート領域のみ有する）のうちシステムコード「ＢＢ００」を有するものに対応することができる。
この場合、第２のタイプで、システムコード「ＢＢ００」を有しないものには対応できないが、更に他のシステムコード（「ＣＣ００」など）でトリプルポーリングするなど、ポーリングに使用するシステムコードを増やすことにより、より多くの非接触型ＩＣカードに対応することができる。
即ち、通行制御システム１は、汎用の非接触型ＩＣカードに対応するために、複数のシステムコードを用いてポーリングを行うのである。
【００４８】
なお、本実施の形態では、通行券を非接触型ＩＣカードで構成するが、これは通行券の媒体を限定するものではなく、例えば、接触型ＩＣカード、磁気記憶媒体など、媒体に固有の情報を読み取り可能に記憶してあるものならばよい。
接触型ＩＣカードは、アンテナ２６の代わりに接触端子が設けられており、接触端子を介してリーダライタと通信するほかは非接触型ＩＣカードと同じである。
通行券を磁気記憶媒体で構成する場合は、磁気記憶媒体にＩＤｍに相当する固有の情報を記憶しておき、これをゲート４などが読み取るように構成する。
【００４９】
図４は、ゲート４のハードウェア的な構成の一例を示した図である。
ゲート４は、ＣＰＵ６１、ＲＯＭ６３、ＲＡＭ６４、通信制御部６５、リーダライタ部６７、扉制御部６９、記憶部６６などがバスライン４６で接続されて構成されている。
ＣＰＵ６１は、ＲＯＭ６３や記憶部６６に記憶されたプログラムに従って各種の情報処理及びゲート４の各部の制御を行う。ＣＰＵ６１が行う処理には次のようなものがある。
【００５０】
（ＩＤｍの読み取り処理）
ＣＰＵ６１は、リーダライタ部６７を介して非接触型ＩＣカードにシステムコードを送信し、これに応じて非接触型ＩＣカードが送出したＩＤｍを受信してＲＡＭ６４に一時記憶する。
【００５１】
（ＩＤｍの判定処理）
記憶部６６には、定期券として登録されたＩＤｍを記憶したＩＤｍデータベースが備えられており、ＣＰＵ６１は、ＲＡＭ６４に一時記憶したＩＤｍとＩＤｍデータベースに記憶されているＩＤｍを照合し、一致するものがあるか否かを判定する。
【００５２】
（扉の開閉処理）
ＣＰＵ６１は、ＩＤｍデータベースに記憶してあるＩＤｍで、ＲＡＭ６４に一時記憶したＩＤｍと一致するものがあると判定した場合、扉制御部６９を制御して扉を開く扉開動作を行わせる。
一方、一致するものがないと判断した場合、ＣＰＵ６１は扉制御部６９を制御して扉を閉じる扉閉動作を行わせる。
【００５３】
（データベース更新処理）
ＣＰＵ６１は、通信制御部６５を介して通行券情報サーバ３と通信し、通行券情報サーバ３からＩＤｍの登録命令と取消命令を受信する。
そして、ＣＰＵ６１は、登録命令を受信した場合、この命令で指定されているＩＤｍをＩＤｍデータベースに登録する。一方、取消命令を受信した場合、この命令で指定されているＩＤｍをＩＤｍデータベースから消去する。ＣＰＵ６１は、このようにして記憶部６６に記憶したＩＤｍデータベースを更新する。
【００５４】
ＲＡＭ６４は、ＣＰＵ６１が各種の情報処理や制御を行う際のワーキングエリアを提供する。
通信制御部６５は、ネットワークに接続されており、ＣＰＵ６１が通行券情報サーバ３と通信を行う際の制御を行う。
リーダライタ部６７は、リーダライタ及び非接触型ＩＣカードと通信するためのモジュールなどから構成されている。リーダライタ部６７は、ＣＰＵ６１が非接触型ＩＣカードと通信する際の制御を行う。
【００５５】
扉制御部６９は、扉本体、扉本体を開閉するアクチュエータ、及び、アクチュエータを制御する制御装置などから構成されている。
ＣＰＵ６１は、制御装置に命令を送り、これによってアクチュエータを作動させて扉本体の開閉を制御する。
【００５６】
記憶部６６は、例えば、半導体記憶装置やハードディスク装置などの記憶装置や、これらの組み合わせによって構成されている。
記憶部６６には、プログラムを記憶するプログラム格納部７２とデータを格納するデータ格納部７４が形成されている。
【００５７】
プログラム格納部７２には、ＣＰＵ６１が先に説明した各機能を発揮するためのプログラムや、ＣＰＵ６１を動作させるための基本的なプログラムであるＯＳ（Ｏｐｅｒａｔｉｎｇ  Ｓｙｓｔｅｍ）などが記憶されている。
データ格納部７４には、ＩＤｍデータベースなどが格納されている。
【００５８】
図６（ａ）は、データ格納部７４に格納されているＩＤｍデータベースの論理的な構成を示した図である。
ＩＤｍデータベースには、登録された各非接触型ＩＣカードのパブリックＩＤｍとプライベートＩＤｍが対応付けられて記憶されている。
このように、ＩＤｍデータベースにパブリックＩＤｍとプライベートＩＤｍを記憶しているため、何れか一方が一致する非接触型ＩＣカードを有するユーザを通過させることができる。
なお、図６（ａ）のＩＤｍデータベースには、パブリック領域用とプライベート領域用のＩＤｍの双方が記憶されている場合が例示されているが、非接触型ＩＣカードの種類によっては、パブリックＩＤｍのみが記憶されたものや、プライベートＩＤｍのみが記憶されたものもある。
【００５９】
図５は、通行券情報サーバ３のハードウェア的な構成の一例を示した図である。
通行券情報サーバ３の構成は基本的にゲート４と同じであり、ＣＰＵ８１、ＲＯＭ８３、ＲＡＭ８４、通信制御部８５、記憶部８６、プログラム格納部９２、データ格納部９４などがバスライン５６で接続されている。
【００６０】
ＣＰＵ８１は、ＲＯＭ８３や記憶部８６に記憶されたプログラムに従って各種の情報処理を行う。ＣＰＵ８１が行う処理には次のようなものがある。
【００６１】
（ＩＤｍの登録処理）
ＣＰＵ８１は、登録端末２からＩＤｍ、利用区間、利用期間などの情報を受信し、記憶部８６に記憶した定期券データベースを更新する。
【００６２】
（ＩＤｍの登録要求）
ＣＰＵ８１は、例えば、毎日１回列車運行終了後にバッチ処理にて、次の日から利用開始となる非接触型ＩＣカードのＩＤｍを定期券データベースで検索する。
そして、検索されたＩＤｍの登録命令を利用区間に属する各駅のゲート４に送信する。
【００６３】
（ＩＤｍの取消要求）
ＣＰＵ８１は、登録要求の場合と同様に、バッチ処理にて、本日で利用終了となる非接触型ＩＣカードのＩＤｍを定期券データベースで検索する。
そして、検索されたＩＤｍの取消命令を利用区間に属する各駅のゲート４に送信する。
（データベース更新処理）
ＣＰＵ８１は、利用期間が経過したＩＤｍを定期券データベースより消去する。
【００６４】
ＲＡＭ８４は、ＣＰＵ８１が各種の情報処理や制御を行う際のワーキングエリアを提供する。
通信制御部８５は、ネットワークに接続されており、ＣＰＵ８１が登録端末２やゲート４と通信を行う際の制御を行う。
【００６５】
記憶部８６は、例えば、半導体記憶装置やハードディスク装置などの記憶装置や、これらの組み合わせによって構成されている。
記憶部８６には、プログラムを記憶するプログラム格納部９２とデータを格納するデータ格納部９４が形成されている。
【００６６】
プログラム格納部９２には、ＣＰＵ８１が先に説明した各機能を発揮するためのプログラムや、ＣＰＵ８１を動作させるための基本的なプログラムであるＯＳ（Ｏｐｅｒａｔｉｎｇ  Ｓｙｓｔｅｍ）などが記憶されている。
データ格納部９４には、ゲート情報データベースや定期券データベースなどが格納されている。
【００６７】
図６（ｂ）は、データ格納部９４に格納されているゲート情報データベースの論理的な構成を示した図である。
ゲート情報データベースでは、各駅を特定する駅ＩＤと、当該駅に設置されているゲート４のゲートＩＤが対応付けられて記憶されている。
通行券情報サーバ３は、駅ＩＤをゲート情報データベースで照合することにより、当該駅に設置されているゲートを特定することができ、また、ゲートＩＤを検索することにより当該ゲート４が設置されている駅を特定することができる。
【００６８】
図６（ｃ）は、データ格納部９４に格納されている定期券データベースの論理的な構成を示した図である。
定期券データベースには、定期券として登録された各非接触型ＩＣカードのパブリックＩＤｍとプライベートＩＤｍ、及び利用区間、利用期間などが各非接触型ＩＣカードごとに対応付けられて記憶されている。
これらの情報は、通行券情報サーバ３が登録端末２から受信して定期券データベースに記憶させたものである。
【００６９】
このように、定期券データベースはＩＤｍと駅を対応付け、ゲート情報データベースは、駅とゲート４を対応付けているため、定期券データベースとゲート情報データベースにより、ＩＤｍとゲート４が対応付けられている。
【００７０】
次に、図７のフローチャートを用いてゲート４が自動改札処理を行う手順について説明する。
まず、ユーザが、入退場の際にゲート４のリーダライタに非接触型ＩＣカードをかざす。
すると、ゲート４は、非接触型ＩＣカードとの通信を確立し、システムコードを非接触型ＩＣカードに送信してＩＤｍを要求する（ステップ５）。
より詳細には、ゲート４は、パブリック領域用のシステムコードとプライベート領域用のシステムコードを非接触型ＩＣカードに送信し、ダブルポーリングを行う。
【００７１】
非接触型ＩＣカードは、ゲート４からポーリングを受け、要求されたＩＤｍをゲート４に送信する（ステップ１０）。例えば、プライベート領域のみ有する非接触型ＩＣカードは、パブリックＩＤｍを有しないが、この場合はプライベートＩＤｍのみ送信する。非接触型ＩＣカードは、このように要求されたＩＤｍが存在する場合にそのＩＤｍを送信する。
【００７２】
ゲート４は、非接触型ＩＣカードからＩＤｍを受信して一時記憶し、ＩＤｍデータベースに記憶してあるＩＤｍと照合する（ステップ１５）。
ゲート４は、ＩＤｍデータベースに記憶してあるパブリックＩＤｍとプライベートＩＤｍのうち、少なくとも一方と一致するものがあるか否かを照合する。
照合順序は任意でよいが、例えば、非接触型ＩＣカードから送信されたＩＤｍがパブリックＩＤｍとプライベートＩＤｍの２つある場合、まず、パブリックＩＤｍを照合し、一致するパブリックＩＤｍがなかった場合にプライベートＩＤｍを照合する。
また、非接触型ＩＣカードから受信したＩＤｍが、パブリックＩＤｍとプライベートＩＤｍのうち、いずれか一方であった場合は、これをＩＤｍデータベースの対応する領域で照合する。
【００７３】
非接触型ＩＣカードから送信されたＩＤｍと、ＩＤｍデータベースに記憶したＩＤｍとで一致するものがあった場合（ステップ２０；Ｙ）、ゲート４は扉を開く扉開動作を行う（ステップ２５）。
一方、非接触型ＩＣカードから送信されたＩＤｍと、データベースに記憶したＩＤｍとで一致するものがなかった場合（ステップ２０；Ｎ）、ゲート４は扉を閉じる扉閉動作を行う（ステップ３０）。
【００７４】
次に、図８のフローチャートを用いて通行券情報サーバ３が非接触型ＩＣカードを定期券として登録する手順について説明する。
まず、登録しようとする非接触型ＩＣカードを登録端末２のリーダライタに設置する。登録端末２は、自動式でも手動式でもどちらでもよい。
登録端末２は、リーダライタに非接触型ＩＣカードが置かれると、非接触型ＩＣカードと通信を確立し、非接触型ＩＣカードにＩＤｍを要求する（ステップ５０）。
これは、ゲート４が非接触型ＩＣカードにＩＤｍを要求したのと同じようにダブルポーリングにて行う。
【００７５】
非接触型ＩＣカードは、この要求に応じてＩＤｍを登録端末２に送信する（ステップ５５）。非接触型ＩＣカードは、パブリックＩＤｍとプライベートＩＤｍの両方を有している場合は、両方を送信し、一方を有している場合は一方を送信する。
【００７６】
登録端末２は、非接触型ＩＣカードからＩＤｍを受信し、これを一時記憶する（ステップ６０）。
次に、登録端末２は、利用区間の入力を受け付けてこれも一時記憶する（ステップ６５）。利用区間の入力は、自動方式の場合はユーザが入力することにより行われ、手動方式の場合は駅の担当者が入力することにより行われる。
【００７７】
次に、登録端末２は、利用期間の入力を受け付けて一時記憶する（ステップ７０）。
利用期間の入力は、自動方式の場合はユーザが入力することにより行われ、手動方式の場合は駅の担当者が入力することにより行われる。
次に、登録端末２は、一時記憶してあった、ＩＤｍ、利用区間、及び利用期間などの情報を通行券情報サーバ３に送信する（ステップ７５）。
通行券情報サーバ３は、登録端末２から、ＩＤｍ、利用区間、利用期間などの情報を受信して定期券データベースに記憶する（ステップ８０）。
なお、決済は、通行券情報サーバ３が定期券サーバにＩＤｍなどの情報を登録する前に行うことができる。
【００７８】
次に、図９のフローチャートを用いて通行券情報サーバ３が、ゲート４にＩＤｍの登録要求と取消要求を行う手順について説明する。
通行券情報サーバ３は、列車運行の終了後、翌営業日の列車運行開始前に、次の一連の処理を行う。
まず、カウンタｉを１に初期化する（ステップ１００）。このカウンタは、ｉ番目の駅を特定するパラメータである。駅の順番は、例えば、ゲート情報データベースで登録してある順序を用いる。
なお、カウンタを用いる方法は一例であって、全ての駅が網羅される方式であればどのようなものであってもよい。
【００７９】
カウンタを初期化すると、通行券情報サーバ３は、ｉ番目の駅を利用区間に含むＩＤｍをデータベースで検索して抽出する（ステップ１０５）。
次に、通行券情報サーバ３は、抽出したＩＤｍの利用期間を確認し、翌営業日を利用期間の開始日とするものを抽出する（ステップ１１０）。
次に、通行券情報サーバ３は、抽出したＩＤｍをゲート４に登録させるための登録命令を生成し、一時記憶する（ステップ１１５）。
【００８０】
次に、通行券情報サーバ３は、ステップ１０５で検索したＩＤｍの利用期間を確認し、当日で期限切れとなるものを抽出する（ステップ１２０）。
次に、通行券情報サーバ３は、抽出したＩＤｍをゲート４に取り消させるための取消命令を生成し、一時記憶する（ステップ１２５）。
【００８１】
次に、通行券情報サーバ３は、ｉ番目の駅に設置されているゲート４をゲート情報データベースで検索して特定する。
そして、通行券情報サーバ３は、一時記憶しておいた登録命令と取消命令をｉ番目の駅に設置されているゲート４に送信する（ステップ１３０）。
ｉ番目の駅のゲート４は、通行券情報サーバ３から登録命令と取消命令を受信し、登録命令で指定されているＩＤｍをデータベースに新たに記憶させ、取消命令で指定されているＩＤｍをデータベースから消去する。
このように、通行券情報サーバ３からは、当日有効なＩＤｍと翌営業日有効なＩＤｍの差分が送信され、ゲート４は、この差分によりＩＤｍデータベースを更新する。
【００８２】
次に、通行券情報サーバ３は、全ての駅に対して命令を送信したか否かを判断し（ステップ１３５）、まだ、送信していない駅がある場合は（ステップ１３５；Ｎ）、ｉに１を加えて（ステップ１４０）、ｉ＋１番目の駅に対して以上の処理を繰り返す。
一方、全ての駅に対して命令を送信した場合は（ステップ１３５；Ｙ）、処理を終了する。
【００８３】
以上のように、本実施の形態では、各ゲート４に差分となるＩＤｍを送信してＩＤｍデータベースを更新したが、このほかにも各種の方法が可能である。
例えば、各駅のゲート４ごとに、通行券情報サーバ３が翌営業日に有効なＩＤｍを一括して送信し、ゲート４の側で差分を抽出するように構成することができる。
更には、通行券情報サーバ３が翌営業日に有効なＩＤｍを一括送信し、ゲート４は、一括送信されたＩＤｍでＩＤｍデータベースを上書きするように構成することもできる。
後者の方法の場合は、差分の抽出処理が必要ないため、処理が容易である。
【００８４】
次に、図１０を用いて精算端末や通行券情報サーバ３が精算処理を行う手順について説明する。
ユーザは、乗り越し精算を行う場合、精算端末に赴き、非接触型ＩＣカード挿入口から非接触型ＩＣカードを挿入する。
すると精算端末は、リーダライタを介して非接触型ＩＣカードと通信を開始し、非接触型ＩＣカードにＩＤｍを要求する（ステップ１５０）。この要求は、登録端末２、ゲート４と同様にダブルポーリングにて行う。
【００８５】
非接触型ＩＣカードは、精算端末からの要求を受けて、ＩＤｍを精算端末に送信する（ステップ１５５）。
精算端末は、非接触型ＩＣカードからＩＤｍを受信すると、このＩＤｍと、当該精算端末が設置されている駅を特定する駅特定情報（精算端末に記憶されているものとする）を通行券情報サーバ３に送信する（ステップ１６０）。
【００８６】
通行券情報サーバ３は、精算端末からＩＤｍと駅特定情報を受信し、一時記憶する。
そして、通行券情報サーバ３は、駅特定情報から当該精算端末が設置されている駅を特定する（ステップ１６５）。
次に、通行券情報サーバ３は、ＩＤｍを定期券データベースで検索し、当該ＩＤｍに対して登録されている利用区間を特定する（ステップ１７０）。
次に、通行券情報サーバ３は、精算端末が設置されている駅と利用区間中の最寄りの駅の間の運賃から精算金額を計算し、これを精算端末に送信する（ステップ１７５）。
【００８７】
精算端末は、通行券情報サーバ３から精算金額を受信し、これを表示装置（タッチパネルなど）に表示する。
更に、精算端末は、現金による精算と電子マネーによる精算をユーザに選択させる。
ここでは、ユーザが電子マネーによる精算を選択したものとする。
【００８８】
精算端末は、ユーザが電子マネーによる精算を選択すると、精算金額分のバリューを非接触型ＩＣカードに行わせる減算情報を生成して非接触型ＩＣカードに送信する（ステップ１８０）。
非接触型ＩＣカードは、精算端末から減算情報を受信し、これを用いて電子マネーとして記憶しているバリューを精算金額分だけ減算する減算処理を実行する（ステップ１８５）。
精算端末は、後ほどバッチ処理などにて、バリューによる精算記録を電子マネーの事業体が運用する電子マネーサーバに送信する。
【００８９】
以上に説明した本実施の形態により次のような効果が得られる。
（１）電子マネーカードなどで市中に広く普及している非接触型ＩＣカードをそのまま定期券として利用することができる。
（２）ＩＤｍを各ゲート４に配信するだけで、非接触型ＩＣカードを定期券化することができる。
（３）事業体が磁気媒体で構成した定期券・乗車券用の自動改札装置を導入している場合、この自動改札装置にリーダライタ、非接触型ＩＣカードと通信するモジュールなどを追加することにより、低コストで本実施の形態のゲート４を構成することができる。
【００９０】
（４）パブリック領域とプライベート領域を有する非接触型ＩＣカードや、パブリック領域を有しないものなど、各種の非接触型ＩＣカードに対応することができる。
【００９１】
本実施の形態では、利用区間中の各駅に非接触型ＩＣカードのＩＤｍを登録したが、例えば、利用区間の両端の駅にのみＩＤｍを登録したり、あるいはユーザが選択した複数の駅のみＩＤｍを登録するように構成し、選択した駅の組み合わせによる料金体系とすることもできる。
この場合、ユーザは選択した駅では自由に乗降することができるが、その他の駅で途中下車、又は途中乗車する場合は精算を行うことになる。
【００９２】
また、本実施の形態では、通行制御システム１を鉄道の自動改札システムとして構成したが、各種の応用が可能である。
例えば、通行制御システム１をイベント会場に設置し、入場客の整理に用いることができる。
この場合、コンサート会場などで、アリーナ席用のゲート、Ｓ席用のゲート、Ａ席用のゲートなど、席ごとのゲートを用意し、アリーナ席用のゲートにはアリーナ席客の非接触型ＩＣカードのＩＤｍを登録し、Ｓ席用のゲートにはＳ席客の非接触型ＩＣカードのＩＤｍを登録し、Ａ席用のゲートにはＡ席客の非接触型ＩＣカードのＩＤｍを登録する。
このようにして、客の誘導を補助することができる。
【００９３】
非接触型ＩＣカード用のＩＣチップと同等のＩＣチップを携帯電話に埋め込んで、携帯電話を電子マネーカードと同様に利用できるサービスが行われているが、非接触型ＩＣカードと同様にＩＤｍを通行券情報サーバ３に登録することにより、定期券として使用することができる。
【図面の簡単な説明】
【００９４】
【図１】本実施の形態の一例に係る通行制御システムの構成を示したブロック図である。
【図２】本実施の形態で通行券を構成する非接触型ＩＣカードのハードウェア的な構成の一例を示したブロック図である。
【図３】非接触型ＩＣカードのＥＥＰＲＯＭの構成を模式的に示した図である。
【図４】ゲートのハードウェア的な構成の一例を示した図である。
【図５】通行券情報サーバのハードウェア的な構成の一例を示した図である。
【図６】データベースの論理的な構成の一例を示した図である。
【図７】ゲートが自動改札処理を行う手順を説明するためのフローチャートである。
【図８】通行券情報サーバが非接触型ＩＣカードを定期券として登録する手順について説明するためのフローチャートである。
【図９】通行券情報サーバがゲートにＩＤｍの登録要求と取消要求を行う手順を説明するためのフローチャートである。
【図１０】精算端末や通行券情報サーバが精算処理を行う手順について説明するためのフローチャートである。
【符号の説明】
【００９５】
１  通行制御システム
２  登録端末
３  通行券情報サーバ
４  ゲート
２１  ＣＰＵ
２２  高周波回路
２３  ＲＯＭ
２４  ＲＡＭ
２５  ＥＥＰＲＯＭ
２６  アンテナ
６１  ＣＰＵ
６３  ＲＯＭ
６４  ＲＡＭ
６５  通信制御部
６６  記憶部
６７  リーダライタ部
６９  扉制御部
７２  プログラム格納部
７４  データ格納部
８１  ＣＰＵ
８３  ＲＯＭ
８４  ＲＡＭ
８５  通信制御部
８６  記憶部
９２  プログラム格納部
９４  データ格納部
【図１】
2007141017.tif 000003
【図２】
2007141017.tif 000004
【図３】
2007141017.tif 000005
【図４】
2007141017.tif 000006
【図５】
2007141017.tif 000007
【図６】
2007141017.tif 000008
【図７】
2007141017.tif 000009
【図８】
2007141017.tif 000010
【図９】
2007141017.tif 000011
【図１０】
2007141017.tif 000012